(57)【要約】【課題】誤操作による運転の中断を防止することができる空気調和機の遠隔制御装置を提供する。【解決手段】この発明に係る空気調和機の遠隔制御装置は、リモコン本体と、この本体に設けられ、本体を操作するための操作手段と、本体に設けられ、操作手段の操作を有効又は無効にするための操作有効／無効切り換え手段と、この操作有効／無効切り換え手段が無効の場合は、操作手段の操作を無効とする制御手段と、を備えたことを特徴とする。【選択図】図１６
2011099673.tif 000002
【特許請求の範囲】
【請求項１】
リモコン本体と、
この本体に設けられ、該本体を操作するための操作手段と、
前記本体に設けられ、前記操作手段の操作を有効又は無効にするための操作有効／無効切り換え手段と、
この操作有効／無効切り換え手段が無効の場合は、前記操作手段の操作を無効とする制御手段と、
を備えたことを特徴とする空気調和機の遠隔制御装置。
【請求項２】
リモコン本体と、
この本体に収納された電池と、
前記本体に設けられ、前記電池を覆うと共に、外部から該電池が入っていることを確認可能な電池カバーと、
を備えたことを特徴とする空気調和機の遠隔制御装置。
【請求項３】
前記電池カバーを透明な材質で構成したことを特徴とする請求項３記載の空気調和機の遠隔制御装置。
【請求項４】
リモコン本体と、
この本体に設けられ、空気調和機の設定値等を表示する表示装置と、
前記本体に設けられ、標準時計の電波を受信する受信部と、
前記本体に設けられ、前記本体の制御を行うマイクロコンピューターと、
このマイクロコンピューターがリセットされるか、又は一定時間経過した場合は、前記受信部で標準時計の電波を受信し、受信した時刻をセットし前記表示装置に表示する制御手段と、を備えたことを特徴とする空気調和機の遠隔制御装置。
【請求項５】
リモコン本体と、
この本体に設けられ、空気調和機の設定値等を表示する表示装置と、
前記本体に収納された電池と、
前記本体に設けられ、前記電池の電圧を検出する電圧検出部と、
前記表示装置をＯＦＦからＯＮにする場合、前記電圧検出部が検出した電圧に応じて、前記表示装置の表示を点滅させる制御手段と、
を備えたことを特徴とする空気調和機の遠隔制御装置。
【発明の詳細な説明】
【技術分野】
【０００１】
この発明は、空気調和機の遠隔制御装置（以下、リモコン）に関するものである。
【背景技術】
【０００２】
リモコンに搭載される電池（バッテリーともいう）の寿命を長くするための技術や使い勝手の改良に関する技術が種々提案されている。
【０００３】
例えば、リモコンの液晶の表示部の下に蛍光板を設けることにより、バッテリー消費を気にすることなく、暗所で利用でき、表示内容を容易にする表示装置が開示されている（例えば、特許文献１参照）。
【０００４】
また、ワイヤレスコントロール装置を手のひらで保持しやすいようにふくらみを持たせた形状とし、このふくらみ部分に充電式としたバッテリーを収容できるようにして、その他の部分を薄型化することによりバッテリーの交換の手間を省き操作性を向上させるワイヤレスコントロール装置が開示されている（例えば、特許文献２参照）。
【０００５】
また、リモコン装置に電源ＯＮ信号と時刻情報とを合わせて送信することにより、装置構成を簡素とし、電力消費を抑制することができる電気機器が開示されている（例えば、特許文献３参照）。
【０００６】
また、赤外線、電波等を使用したワイヤレスリモコン装置の送信機に電源電圧の確認手段を設けることにより、常に良好なワイヤレス通信を確保し、電池交換等の目安を提供可能にしたワイヤレスリモコン装置が開示されている（例えば、特許文献４参照）。
【先行技術文献】
【特許文献】
【０００７】
【特許文献１】特開平９−３０５１２０号公報
【特許文献２】特開平９−０３７１０５号公報
【特許文献３】特開平９−０３３６７２号公報
【特許文献４】特開平６−３７７１６号公報
【特許文献５】実開昭６２−８９７２４号公報
【特許文献６】実開昭６０−１０６４号公報
【特許文献７】特開平９−３０７９７２号公報
【発明の概要】
【発明が解決しようとする課題】
【０００８】
上記特許文献１に記載された表示装置では、バックライトはＯＮ／ＯＦＦするが、表示部はＯＮ／ＯＦＦしないため表示部によるバッテリー消費が低減されないという課題があった。
【０００９】
また、上記特許文献２に記載されたワイヤレスコントロール装置では、バッテリーが入っている／入っていないかが判断できず、廃却の際、分別されない可能性があるという課題があった。
【００１０】
また、上記特許文献３に記載された電気機器では、リモコン装置の時計をセットする際、正確な時刻をセットすることができないという課題があった。
【００１１】
さらに、上記特許文献４に記載されたワイヤレスリモコン装置では、バッテリーの電圧をユーザに知らせるための部品を追加しなければならないという課題があった。
【００１２】
この発明は、上記のような課題を解決するためになされたもので、リモコンに用いられる電池の寿命を延ばすこと、リモコンの操作性を向上させること、誤操作による運転の中断を防止すること、リモコンのリサイクルを容易にすること、リモコンの表示の精度を向上させること、及びユーザが電池寿命を容易に知ることができる空気調和機の遠隔制御装置を提供することを目的とする。
【課題を解決するための手段】
【００１３】
この発明に係る空気調和機の遠隔制御装置は、
リモコン本体と、
この本体に設けられ、本体を操作するための操作手段と、
本体に設けられ、操作手段の操作を有効又は無効にするための操作有効／無効切り換え手段と、
この操作有効／無効切り換え手段が無効の場合は、操作手段の操作を無効とする制御手段と、
を備えたことを特徴とする。
【発明の効果】
【００１４】
この発明に係る空気調和機の遠隔制御装置は、リモコンが操作有効／無効切り換え手段を備え、有効の場合はキー操作ができるが、無効の場合はキー操作ができないため、誤操作による運転の中断を防止できるとともに幼児によるいたずら等による運転の中断を防止できるという効果がある。
【図面の簡単な説明】
【００１５】
【図１】実施の形態１を示す図で、リモコンの構成を示すブロック図である。
【図２】実施の形態１を示す図で、動作を説明するフローチャート図である。
【図３】実施の形態２を示す図で、リモコン、リモコンホルダーの斜視図である。
【図４】実施の形態２を示す図で、リモコンの構成を示すブロック図である。
【図５】実施の形態２を示す図で、リモコンがリモコンホルダーに収納された状態を示す図である。
【図６】実施の形態２を示す図で、リモコンがリモコンホルダーに収納される前後の状態を示す図である。
【図７】実施の形態２を示す図で、動作を説明するフローチャート図である。
【図８】実施の形態３を示す図で、リモコン、リモコンホルダーの斜視図である。
【図９】実施の形態３を示す図で、リモコンの構成を示すブロック図である。
【図１０】実施の形態３を示す図で、リモコンがリモコンホルダーに収納された状態を示す図である。
【図１１】実施の形態３を示す図で、リモコンをリモコンホルダーに収納する前後の状態を示す図である。
【図１２】実施の形態３を示す図で、動作を説明するフローチャート図である。
【図１３】実施の形態３を示す図で、動作を説明するフローチャート図である。
【図１４】実施の形態４を示す図で、リモコンの構成を示すブロック図である。
【図１５】実施の形態４を示す図で、動作を説明するフローチャート図である。
【図１６】実施の形態５を示す図で、リモコンの構成を示すブロック図である。
【図１７】実施の形態５を示す図で、動作を説明するフローチャート図である。
【図１８】実施の形態６を示す図で、リモコンの構成図である。
【図１９】実施の形態６を示す図で、リモコンの構成を示すブロック図である。
【図２０】実施の形態６を示す図で、動作を説明するフローチャート図である。
【図２１】実施の形態７を示す図で、リモコンの構成図である。
【図２２】実施の形態８を示す図で、リモコンの構成を示すブロック図である。
【図２３】実施の形態８を示す図で、動作を説明するフローチャート図である。
【図２４】実施の形態９を示す図で、リモコンの構成を示すブロック図である。
【図２５】実施の形態９を示す図で、１．５Ｖ電池を２個直列に使用した場合の電圧による点滅回数例を示す図である。
【図２６】実施の形態９を示す図で、動作を説明するフローチャート図である。
【発明を実施するための形態】
【００１６】
実施の形態１．
以下、この発明の実施の形態を図面に基づいて説明する。
この実施の形態は、リモコンに角度を検出する角度センサを設け、リモコンが一定時間以上同一角度になっている場合は、操作を終えたと判断し表示をＯＦＦする。リモコンの角度が変化した場合は、操作を始めると判断し表示をＯＮすることにより、表示のＯＮ時間を削減するものである。
【００１７】
図１，２は実施の形態１を示す図で、図１はリモコンの構成を表すブロック図、図２は動作を説明するフローチャートである。
図１において、１０１は空気調和機の遠隔制御装置であるリモコン、１０２はリモコン１０１に搭載されるマイクロコンピューター（以下、マイコン）、１０３はリモコン１０１の角度を検出するための角度検出手段の一例である角度センサ、１０４は空気調和機の設定値等を表示をするための表示装置（液晶等）である。リモコン１０１にはその他に電池（図示せず）が内蔵されている。
【００１８】
次に、動作を説明する。
図２のフローチャートにおいて、先ずステップ２０１で角度センサ１０３によりリモコン１０１の角度が変化したかを判定する。角度の変化がない場合は、ステップ２０２で時間をカウントし、カウント時間が一定時間（ａ秒）経過したかを判断する。一定時間（ａ秒）経過した場合は、ステップ２０３で表示装置１０４をＯＦＦする。ステップ２０１でリモコン１０１の角度が変化した場合は、ステップ２０４で表示装置１０４をＯＮする。
【００１９】
上述の実施の形態によれば、リモコン１０１が一定時間以上同一角度になっている場合は、リモコン１０１の操作を終えたと判断し表示装置１０４の表示をＯＦＦするので表示する時間を削減できるため、電池の寿命を延ばすことができる。
【００２０】
実施の形態２．
この実施の形態は、リモコンを収納するリモコンホルダーにリモコンが収納されていることを検出する手段を設け、リモコンがリモコンホルダーに収納されている場合は表示をＯＦＦする。リモコンホルダーに収納されていない場合は表示をＯＮすることにより、表示のＯＮ時間を削減するものである。
【００２１】
図３〜７は実施の形態２を示す図で、図３はリモコン、リモコンホルダーの斜視図、図４はリモコンの構成を表すブロック図、図５はリモコンをリモコンホルダーに収納した状態を示す図、図６はリモコンをリモコンホルダーに収納する前後の状態を示す図、図７は動作を説明するフローチャートである。
図３において、３０１はリモコン、３０２はリモコン３０１を収納するリモコンホルダー、３０３はリモコンホルダー３０２に設けられた押圧手段の一例の凸部である。
図４において、３０１はリモコン、４０２はリモコン３０１に搭載されたマイコン、４０３はリモコン３０１がリモコンホルダー３０２に収納／未収納かを検出するスイッチ、４０４はリモコン３０１の表示装置である。
【００２２】
リモコン３０１はリモコンホルダー３０２に、図５に示すように収納される。リモコン内のスイッチ４０３は、図６（ａ）のようにリモコン３０１がリモコンホルダー３０２に収納されていない状態では作動しないが、図６（ｂ）のようにリモコン３０１がリモコンホルダー３０２に収納された状態では、リモコンホルダー３０２に設けられた凸部３０３により押されて作動する。
【００２３】
次に、動作を説明する。
図７のフローチャートにおいて、先ずステップ７０１で、スイッチ４０３の状態によりリモコン３０１のリモコンホルダー３０２への収納／未収納を判断する。図３のようにリモコン３０１がリモコンホルダー３０２に収納されていない場合は、図６（ａ）のようにスイッチ４０３が押されていない状態のため、「収納されていない」と判断し表示をＯＮする（ステップ７０２）。図５のようにリモコン３０１がリモコンホルダー３０２に収納されている場合は、図６（ｂ）のようにスイッチ４０３が押された状態のため、「収納されている」と判断する。収納されている場合は、ステップ７０３で時間経過を判定し、一定時間経過後もスイッチ４０３が押された状態の場合は表示をＯＦＦする（ステップ７０４）。
【００２４】
上述の実施の形態によれば、リモコン３０１がリモコンホルダー３０２に収納されている場合は、リモコン３０１の操作を終えたと判断し表示装置４０４の表示をＯＦＦするので表示する時間を削減できるため、電池の寿命を延ばすことができる。
【００２５】
実施の形態３．
この実施の形態は、リモコンの電池と接触部を切り離す手段を備えたリモコンホルダーと、電源遮断前の表示内容を記憶する手段と、電源投入時電源遮断前の表示内容を表示装置に表示する手段とをリモコンに設け、リモコンがリモコンホルダーに収納されている場合は電池を遮断する。リモコンホルダーから取り出され、再び通電されたときは記憶された電池が遮断される前の状態を表示することにより電池の使用時間を削減する。
【００２６】
図８〜１３は実施の形態３を示す図で、図８はリモコン、リモコンホルダーの斜視図、図９はリモコンの構成を表すブロック図、図１０はリモコンをリモコンホルダーに収納した状態を示す図、図１１はリモコンをリモコンホルダーに収納する前後の状態を示す図、図１２，１３は動作を説明するフローチャートである。
【００２７】
図８において、８０１はリモコン、８０２はリモコン８０１を収納するリモコンホルダー、８０３はリモコンホルダー８０２に設けられ、電池接続遮断手段の一例の電池を遮断するための凸形状の電池遮断部材である。
図９において、８０１はリモコン、９０２はリモコン８０１に搭載されたマイコン、９０３は表示内容を記憶する記憶装置とも呼ばれるメモリ、９０４はリモコン８０１の表示装置である。
【００２８】
リモコン８０１はリモコンホルダー８０２に、図１０に示すように収納される。
リモコン内の電池Ｂ０１は、図１１（ａ）に示すようにリモコン８０１がリモコンホルダー８０２に収納されていない状態では接触部に接触しているが、図１１（ｂ）のようにリモコン８０１がリモコンホルダー８０２に収納された状態では、リモコンホルダー８０２に設けられた電池遮断部材８０３により接触部から切り離される。
【００２９】
次に、動作を説明する。
図１２のフローチャートに示すように、ステップＣ０１でリモコン８０１は表示内容変更有／無を判断し、表示内容が変更有りの場合は記憶する（ステップＣ０２）。
さらに、図１３のフローチャートに示すように、リモコン８０１がリモコンホルダー８０２から取り出され、電池Ｂ０１が通電されマイコン９０２のプログラムが開始されると（ステップＤ０１）、メモリ９０３のデータを読み出し（ステップＤ０２）、その内容を表示する（ステップＤ０３）。
【００３０】
上述の実施の形態によれば、リモコン８０１がリモコンホルダー８０２に収納された状態では、リモコンホルダー８０２に設けられた電池遮断部材８０３により接触部から切り離されるので電池Ｂ０１が導通する時間を削減できるため、電池Ｂ０１の寿命を延ばすことができるとともに、回路による自然放電を防止できるという効果もある。
また、リモコン８０１の電池遮断部材８０３挿入口から電池Ｂ０１が見えるので、電池Ｂ０１が入っている／入っていないが容易に判断できるため、分別廃却が容易になるという効果もある。
【００３１】
実施の形態４．
この実施の形態は、操作する際、暗いと判断した際にはバックライトを点灯させることにより、例えば寝室で使用する際のように部屋が暗い状態でも設定を容易に変更できるようにするために、リモコンに角度を検出する手段と、光量を検出する手段とを設け、リモコンが一定時間以上同一角度になっている場合は、操作を終えたと判断し表示をＯＦＦする。リモコンの角度が変化した場合は、操作を始めると判断し表示をＯＮし、更に暗いと判断した場合はバックライトをつけることにより、表示のＯＮ時間を削減し、更に暗い場所での操作性を向上させるものである。
【００３２】
図１４，１５は実施の形態４を示す図で、図１４はリモコンの構成を表すブロック図、図１５は動作を説明するためのフローチャートである。
図１４において、Ｅ０１は空気調和機のリモコン、Ｅ０２はリモコンＥ０１に搭載されたマイコン、Ｅ０３はリモコンＥ０１の角度を検出するための角度センサ、Ｅ０４は周囲の明るさを検出する照度検出手段の一例の光センサ、Ｅ０５は空気調和機の設定値等を表示をするための表示装置、Ｅ０６は周囲が暗い場合に使用する表示のためのバックライトである。
【００３３】
次に、動作を説明する。
図１５のフローチャートにおいて、先ずステップＦ０１でリモコンＥ０１の角度を判定する。角度の変化がない場合は、時間をカウントし、カウント時間が一定時間（ａ秒）経過したかを判断する（ステップＦ０２）。一定時間経過した場合は、表示装置Ｅ０５をＯＦＦする（ステップＦ０３）。
ステップＦ０１で角度が変化した場合は、表示装置Ｅ０５をＯＮする（ステップＦ０４）。表示装置Ｅ０５をＯＮの際、明るさを検出する（ステップＦ０５）。一定照度以上の場合は、バックライトをＯＦＦする（ステップＦ０６）。一定照度以下の場合は、バックライトをＯＮする（ステップＦ０７）。
【００３４】
上述の実施の形態によれば、リモコンＥ０１が一定時間以上同一角度になっている場合は、操作を終えたと判断し表示装置Ｅ０５をＯＦＦすることにより表示する時間を削減できるため、電池の寿命を延ばすことができる。
また、周囲が暗いと判断した場合はバックライトをつけることにより操作性が向上するという効果もある。
【００３５】
実施の形態５．
この実施の形態は、誤操作による運転の中断を防止するために、リモコンにキー操作を有効／無効にする手段を設け、有効の場合はキー操作ができるが、無効の場合はキー操作ができないため幼児等によるいたずら防止が可能としたものである。
【００３６】
図１６，１７は実施の形態５を示す図で、図１６はあリモコンの構成を表すブロック図、図１７は動作を説明するフローチャートである。
図１６において、Ｇ０１はリモコン、Ｇ０２はリモコンＧ０１に搭載されたマイコン、Ｇ０３は操作有効／無効切り換え手段の一例であるキー操作有効／無効スイッチ、Ｇ０４はリモコンＧ０１を操作するための操作手段の一例である操作キーである。
【００３７】
次に、動作を説明する。
図１７のローチャートにおいて、ステップＨ０１でキー操作有効／無効スイッチＧ０３が有効か無効かを判断する。無効の場合は、全てのキー操作を受け付けない（ステップＨ０２）。有効の場合は、全てのキーを有効とする（ステップＨ０３）。
【００３８】
上述の実施の形態によれば、リモコンＧ０１がキー操作有効／無効スイッチＧ０３を備え、有効の場合はキー操作ができるが、無効の場合はキー操作ができないため、誤操作による運転の中断を防止できるとともに幼児によるいたずら等による運転の中断を防止できるという効果がある。
【００３９】
実施の形態６．
この実施の形態は、リモコンを手に持つ方向を考えずに使用できることにより使い勝手を改善するために、リモコンにタッチパネルにより操作を行う手段と、角度を検出する手段とを設け、持ち上げた方向によりその方向にあった表示をすることにより、操作性を向上させるものである。
【００４０】
図１８〜２０は、実施の形態６を示す図で、図１８はリモコンの構成図、図１９はリモコンの構成を表すブロック図、図２０は動作を説明するフローチャートである。
図１８において、Ｊ０１はリモコン、Ｊ０２はリモコンＪ０１の表示装置、Ｊ０３は制御用の基板、Ｊ０４は制御用の基板Ｊ０３に設けられた送信機である。図１９において、Ｋ０２はリモコンＪ０１に搭載されたマイコン、Ｋ０３はリモコンＪ０１の角度を検出するための角度検出手段の一例である角度センサ、Ｋ０５は図１８（ａ）のＡ方向用の送信機、Ｋ０６は図１８（ａ）のＢ方向用の送信機である。
図示はしていないが、操作キーに代えてタッチパネルによりリモコンＪ０１の操作を行う操作手段を設けている。
【００４１】
次に、動作を説明する。
図２０のフローチャートにおいて、先ずステップＬ０１で角度センサＫ０３によりリモコンＪ０１の角度を判定する。角度が変化した場合は、角度センサＫ０３により図１８（ａ）のＡ側端部とＢ側端部との高さを比較し（ステップＬ０２）、Ａ側が高い場合は、Ａ側が表示画面の上になるように表示をし（ステップＬ０３）、操作された場合はＡ方向用の送信機Ｋ０５から出力する。Ｂ方向が高い場合は、Ｂ方向に表示をし（ステップＬ０４）、操作された場合はＢ方向用の送信機Ｋ０６から出力する。ステップＬ０１で角度が変化しない場合は、ステップＬ０５で時間経過を判断し、一定時間経過した場合は、表示装置Ｊ０２を消灯する（ステップＬ０６）。
【００４２】
上述の実施の形態によれば、リモコンＪ０１が持ち上げた方向によりその方向にあった表示をすることにより、向きを気にせず使用できるといった操作性向上の効果がある。
また、表示装置Ｊ０２にタッチパネルによりリモコンＪ０１の操作を行う操作手段を設けているので、表示画面の方向が変わっても不都合は生じない。
また、角度が変化しない場合は表示装置Ｊ０２を消灯するので、表示する時間を削減できるため、電池の寿命を延ばすことができる。
【００４３】
上述の実施の形態では、送信機を２台用いたものを示したが、２台に限定されたものではなく、複数の送信機であればよい。
【００４４】
この発明の実施の形態に係る空気調和機の遠隔制御装置は、リモコン本体と、この本体に設けられ、本体の角度を検出する角度検出手段と、本体に設けられ、本体を操作するための操作手段と、本体に設けられ、空気調和機の設定値等を表示する表示装置と、本体に設けられ、それぞれが異なる方向にリモコン信号を出力する複数の送信機と、角度検出手段が検出した本体の角度が変化した場合は、複数の送信機の高さを角度検出手段により検出し、最も高い位置の送信機に合わせて表示装置の画面表示を行うとともに、操作手段が操作された場合は送信機からリモコン信号を出力する制御手段とを備えたものである。
【００４５】
また、操作手段をタッチパネルにより操作を行うように構成したものである。
【００４６】
また、送信機を本体の長手方向両端部に設けたものである。
【００４７】
この発明の実施の形態に係る空気調和機の遠隔制御装置は、角度検出手段が検出した本体の角度が変化した場合は、複数の送信機の高さを角度検出手段により検出し、最も高い位置の送信機に合わせて表示装置の画面表示を行うとともに、操作手段が操作された場合は送信機からリモコン信号を出力するので、リモコンの操作性が向上する。
【００４８】
また、操作手段をタッチパネルにより操作を行うようにしたので、表示の方向が変わっても操作手段の向きも同じように変わるようにすることができる。
【００４９】
実施の形態７．
この実施の形態は、廃却する際、電池が入っていることを容易に判断でき、分別廃却させ、リサイクルするために、リモコンに電池の入っている／入っていないを容易に判断できる手段を設け、電池の入っている／入っていないを容易に判断できるため分別廃却が容易になるものである。
【００５０】
図２１は実施の形態７を示す図で、リモコンの構成図である。
図において、Ｍ０１はリモコン、Ｍ０２はリモコンＭ０１に収納される電池、Ｍ０３はリモコンＭ０１の透明な電池カバーである。
【００５１】
上述の実施の形態によれば、透明な電池カバーＭ０３を使用することにより、電池Ｍ０２の入っている／入っていないを容易に判断できるため分別廃却が容易になるという効果がある。
【００５２】
電池カバーＭ０３は透明なものを示したが、透明でなくても電池カバーＭ０３を装着した状態で外部から電池Ｍ０２が入っていることを確認できるものであれば何でもよい。
【００５３】
実施の形態８．
この実施の形態は、正確な時刻表示をするために、リモコンが標準時刻の電波を受信する手段を備え、標準時刻の電波を受信することにより正確な時間を表示するものである。
【００５４】
図２２，２３は実施の形態８を示す図で、図２２はリモコンの構成を表すブロック図、図２３は動作を説明するフローチャートである。
図２２において、Ｎ０１はリモコン、Ｎ０２はリモコンＮ０１の表示装置、Ｎ０３は標準時計の電波の受信部、Ｎ０４は表示装置である。
【００５５】
次に、動作を説明する。
図２３のフローチャートにおいて、ステップＰ０１でマイコンＮ０２のリセットを判断する。マイコンＮ０２がリセットされない場合は、一定時間経過したかを判断する（ステップＰ０２）。マイコンＮ０２がリセットされた場合と、一定時間経過した場合は、標準時刻の電波を受信し（ステップＰ０３）、受信した時刻をセットし（ステップＰ０４）、時刻を表示装置Ｎ０４に表示する（ステップＰ０５）。そして、ステップＰ０６でセットした時刻をマイコンＮ０２でカウントする。
【００５６】
上述の実施の形態によれば、リモコンＮ０１が標準時刻の電波を受信することにより正確な時間を表示することができるとともに、時刻をセットする手間を省くことができる効果がある。
【００５７】
実施の形態９．
この実施の形態は、表示を再点灯させる際に、電池の電圧により表示を点滅させることにより、ユーザに電池の交換時期を知らせるために、電池を入れ替えた場合など表示ＯＦＦからＯＮにする際、表示の点滅回数により電池の残量をユーザに知らせるものである。
【００５８】
図２４〜２６は実施の形態９を示す図で、図２４はリモコンの構成を表すブロック図、図２５は１．５Ｖ電池を２個直列に使用した場合の電圧による点滅回数例を示す図、図２６は動作を説明するフローチャートである。
図２４において、Ｑ０１はリモコン、Ｑ０２はリモコンＱ０１の表示装置、Ｑ０３は電池の電圧検出部、Ｑ０４は表示装置である。
【００５９】
図２５に示すように、電圧が２．９Ｖ以上で電池の残量が十分ある場合は表示の点滅は行わない。電圧が２．９Ｖより低下した場合は、漸次点滅回数を増し、電圧が２．５Ｖ未満になると連続して表示の点滅を行う。
【００６０】
図２６のフローチャートにおいて、ステップＲ０１でマイコンＱ０２をリセットしたときなど表示がＯＦＦからＯＮになったかを判断し、ＯＮになった場合はステップＲ０２で電圧を判断し、電圧により図２５に示すように表示を０回（ステップＲ０３）、１回（ステップＲ０４）、２回（ステップＲ０５）、連続（ステップＲ０６）と点滅させる。
【００６１】
上述の実施の形態によれば、表示を再点灯させる際に電池の電圧により表示を点滅させることにより、電池の残量を知らせることができるため、電池の交換時期を知ることができるとともに、電池の消耗による送信距離低下を判断できるという効果がある。
【符号の説明】
【００６２】
１０１  リモコン、１０２  マイコン、１０３  角度センサ、１０４  表示装置、３０１  リモコン、３０２  リモコンホルダー、３０３  凸部、４０２  マイコン、４０３  スイッチ、４０４  表示装置、８０１  リモコン、８０２  リモコンホルダー、８０３  電池遮断部材、９０２  マイコン、９０３  メモリ、９０４  表示装置、Ｂ０１  電池、Ｅ０１  リモコン、Ｅ０２  マイコン、Ｅ０３  角度センサ、Ｅ０４  光センサ、Ｅ０５  表示装置、Ｅ０６  バックライト、Ｇ０１  リモコン、Ｇ０２  マイコン、Ｇ０３  有効／無効スイッチ、Ｇ０４  操作キー、Ｊ０１  リモコン、Ｊ０２  表示装置、Ｊ０３  基板、Ｊ０４  送信機、Ｋ０２  マイコン、Ｋ０３  角度センサ、Ｋ０５  Ａ方向用の送信機、Ｋ０６  Ｂ方向用の送信機、Ｍ０１  リモコン、Ｍ０２  電池、Ｍ０３  電池カバー、Ｎ０１  リモコン、Ｎ０２  マイコン、Ｎ０３  受信部、Ｎ０４  表示装置、Ｑ０１  リモコン、Ｑ０２  マイコン、Ｑ０３  電圧検出部、Ｑ０４  表示装置。
【図１】
2011099673.tif 000003
【図２】
2011099673.tif 000004
【図３】
2011099673.tif 000005
【図４】
2011099673.tif 000006
【図５】
2011099673.tif 000007
【図６】
2011099673.tif 000008
【図７】
2011099673.tif 000009
【図８】
2011099673.tif 000010
【図９】
2011099673.tif 000011
【図１０】
2011099673.tif 000012
【図１１】
2011099673.tif 000013
【図１２】
2011099673.tif 000014
【図１３】
2011099673.tif 000015
【図１４】
2011099673.tif 000016
【図１５】
2011099673.tif 000017
【図１６】
2011099673.tif 000018
【図１７】
2011099673.tif 000019
【図１８】
2011099673.tif 000020
【図１９】
2011099673.tif 000021
【図２０】
2011099673.tif 000022
【図２１】
2011099673.tif 000023
【図２２】
2011099673.tif 000024
【図２３】
2011099673.tif 000025
【図２４】
2011099673.tif 000026
【図２５】
2011099673.tif 000027
【図２６】
2011099673.tif 000028